(57)【要約】【課題】複数台（複数ユニット）の電子機器を収納した電子機器収納ケース内から修理や取り替え等の作業を必要とする電子機器のみを取り出す仕組みにより、修理や取り替え等の作業における人的ミスを抑えることにある。【解決手段】ケース枠体Ａ内に垂直方向に昇降回転循環移動する複数個の移動用ラックを備えた移動用ラック手段Ｂを設け、該各々移動用ラック上に１個乃至複数個の電子機器Ｕを載置し、前記移動用ラック上の電子機器Ｕの各々電源コード、ＬＡＮケーブル等が昇降回転循環移動に対応して回転循環移動する回転式集線手段Ｃを設け、前記移動用ラック手段Ｂの回転循環路途中における互いに対向する前記ケース枠体Ａの前板部と背板部とに、修理、取り替え等の作業のために取り出しを必要とする移動用ラック上の電子機器Ｕを収納ケースの外側に取り出し可能な機器排出手段Ｄを設けた。【選択図】図１
2008056419.tif 000002
【特許請求の範囲】
【請求項１】
電子機器類を収容する電子機器収納ケースにおいて、該収納ケースのケース枠体Ａ内に垂直方向に昇降回転循環移動する複数個の移動用ラックを備えた移動用ラック手段Ｂを設け、該各々移動用ラック上に電子機器Ｕを載置し、前記移動用ラック上の電子機器Ｕの各々電源コード等が昇降回転循環移動に対応して回転循環移動する回転式集線手段Ｃを設け、前記移動用ラック手段Ｂの回転循環路途中における互いに対向する前記ケース枠体Ａの前板部と背板部とに、修理、取り替え等の作業のために取り出しを必要とする移動用ラック上の電子機器Ｕを収納ケースの外側に取り出し可能な機器排出手段Ｄを設け、取り出しを必要とする電子機器Ｕを取り出し可能としたことを特徴とする循環式電子機器収納ケース。
【発明の詳細な説明】
【技術分野】
【０００１】
本発明は、コンピュータなどデータ処理装置の半導体回路や記録媒体駆動用ドライブなど駆動発熱する電子機器類を収容する循環式電子機器収納ケースに関する。
【背景技術】
【０００２】
各業界の事務管理部門や製造部門、あるいは営業販売部門などには、多数のパソコン等のコンピュータや、コンピュータと併用するディスプレイ画面やデータ処理用メモリドライブなど各種の電子機器が設置されている。これらの電子機器類は、その複数ユニットをテーブル上に平面的に並べて配置したり、あるいは、複数台（ユニット）の電子機器（例えば４０台（４０ユニット）程度の多数台）をサーバラックなどの１基の収納用ラック（収納ケース）内に一まとめにしてコンパクトに収納して配置している。
【０００３】
一般的なサーバラックなどの電子機器収納ケースの構造としては、該収納ケース内に、縦横方向に設置された複数のラック（設置棚）上に、複数ユニットの電子機器を固定して収納でき、例えばユニット型機器４０〜５０台程度を収納できるようになっている。また収納ケースの前面はフルオープン型のドア、ラックフレームは固定型のラック等で構成されている。
【０００４】
このように、１基の電子機器収納ケース内に収納された複数台の電子機器のうち、１乃至複数台の電子機器について修理や取り替え等の作業を必要とする場合には、収納ケースの前面のフルオープン型のドアを開放し、そのケース内の所定の高さのラック上に収納されている修理や取り替え等の作業を必要とする電子機器を収納ケースの外側に取り出して作業を実施している。
【０００５】
下記に本発明に関連する先行技術文献を記載する。
【特許文献１】実開平６−４６５３３号
【特許文献１】特開２００１−１０４０７２号公報
【発明の開示】
【発明が解決しようとする課題】
【０００６】
本発明の課題は、複数台（複数ユニット）の電子機器を収納した電子機器収納ケース内から、修理や取り替え等の作業を必要とする電子機器のみを取り出す仕組みにより、修理や取り替え等の作業における人的ミスを抑えることにある。
【課題を解決するための手段】
【０００７】
本発明の請求項１に係る発明は、電子機器類を収容する電子機器収納ケースにおいて、該収納ケースのケース枠体Ａ内に垂直方向に昇降回転循環移動する複数個の移動用ラックを備えた移動用ラック手段Ｂを設け、該各々移動用ラック上に電子機器Ｕを載置し、前記移動用ラック上の電子機器Ｕの各々電源コード等が昇降回転循環移動に対応して回転循環移動する回転式集線手段Ｃを設け、前記移動用ラック手段Ｂの回転循環路途中における互いに対向する前記ケース枠体Ａの前板部と背板部とに、修理、取り替え等の作業のために取り出しを必要とする移動用ラック上の電子機器Ｕを収納ケースの外側に取り出し可能な機器排出手段Ｄを設け、取り出しを必要とする電子機器Ｕを取り出し可能としたことを特徴とする循環式電子機器収納ケースである。
【発明の効果】
【０００８】
本発明の循環式電子機器収納ケースは、該収納ケースのケース枠体Ａ内に垂直方向に、昇降回転循環移動する複数個の移動用ラックからなる移動用ラック手段Ｂを設け、該各々移動用ラック上に電子機器を１個ずつ乃至複数個ずつ載置して昇降回転循環移動させ、該移動用ラックの循環移動路途中の収納ケースには、電子機器を該収納ケース内より外側に取り出し可能な取出部を設けたものである。
【０００９】
本発明の循環式電子機器収納ケースによれば、収納ケース内の電子機器Ｕのうち、修理や機器の取り替え等の作業を必要とする電子機器Ｕのみを、移動用ラック手段Ｂにより取出部まで移動させ、該収納ケースの取出部より機器排出手段Ｄにより収納ケース外側に取り出して修理や機器の取り替え作業をすることができる。
【００１０】
また機器排出手段Ｄを、ケース枠体Ａの作業し易い互いに対向する前板部と背板部の位置の作業し易い高さに設けることにより、どの電子機器に対しても作業が容易になる。
【００１１】
またサーバラック等の電子機器収納ケースには、電源コード等が必要であるが、本発明の収納ケースには、各々電子機器Ｕに接続した電源コード等（例えば電源コードやＬＡＮケーブルやアース線など）が回転式集線手段Ｃにより各々電子機器Ｕの昇降回転循環移動に対応して回転循環移動するため、収納ケース内に収納した各々電子機器に接続した電源コードやＬＡＮケーブルは、各々電子機器Ｕが回転循環移動しても、絡まったり、抜け落ちたりする危険を回避することができる。
【００１２】
そのため、複数台（複数ユニット）の電子機器Ｕを収納した本発明の電子機器収納ケース内から、修理や取り替え等の作業を必要とする電子機器Ｕのみを取り出すことにより、修理や機器取替え等の作業目的の機器以外に触れる機会を減らし、このような作業目的の機器以外に触れる機会を減らし、修理や取り替え等の作業における人的ミスを抑えることができる。
【発明を実施するための最良の形態】
【００１３】
本発明の循環式電子機器収納ケースの実施の形態を、図１の正面図、図２の側面図に基づいて以下に詳細に説明すれば、本発明の収納ケースは、ケース枠体Ａと、該枠体Ａ内に装備された垂直方向に昇降回転循環移動する複数個の移動用ラック手段Ｂとから構成されている。                                                                        
【００１４】
ケース枠体Ａは、図１に示すように離間対向する両側部枠体１ａ、１ａ（側板部を兼ねる）と、底部枠体１ｂ（底板部を兼ねる）と、上部枠体１ｃ（上板部を兼ねる）と、図２に示すように離間対向する前部枠体１ｄ（前板部を兼ねる）と、背部枠体１ｅ（背板部を兼ねる）とから構成されている。
【００１５】
移動用ラック手段Ｂについて以下に説明すれば、図１、図２に示すように、前記ケース枠体Ａ内には、離間対向する前部枠体１ｄと背部枠体１ｅの上部に軸受部を介して軸支されて回転する各々上部支軸５ａ、７ａ、９ａと、下部に軸受部を介して軸支されて回転する各々下部支軸６ａ、８ａ、１０ａが設けられている。
【００１６】
前記各々上部支軸５ａ、７ａ、９ａには、左上部チエーンスプロケット５、中間上部チエーンスプロケット７、右上部チエーンスプロケット９がそれぞれ取り付けられ、各々下部支軸６ａ、８ａ、１０ａには、左下部チエーンスプロケット６、中間下部チエーンスプロケット８、右下部チエーンスプロケット１０がそれぞれ取り付けられている。
【００１７】
図１に示すように、前記左、中間、右の各上部スプロケット５、７、９（又はタイミン
グベルト用プーリー）と、それに対向する左、中間、右の各下部スプロケット６、８、１０との間には、左エンドレスチェーン２、中間エンドレスチェーン３、右エンドレスチェーン４がそれぞれ巻回されて取り付けられている。
【００１８】
図示するように左エンドレスチェーン２は、左上部スプロケット５又は左下部スプロケット６の駆動回転により左回転し、中間エンドレスチェーン３は、中間上部スプロケット５又は中間下部スプロケット６の駆動回転により右回転し、右エンドレスチェーン４は、右上部スプロケット９又は右下部スプロケット１０の駆動回転により左回転して循環送行する。
【００１９】
回転循環送行する左、中間、右の各エンドレスチェーン２、３、４には、その回転するチェーン外側に突出するように、複数個の係止ラック１１（例えば板状、爪状）が等間隔に一体的に取り付けられていて、各チェーン２、３、４ともに同じ間隔にて取り付けられている。前記各チェーン２、３、４は、対向する左エンドレスチェーン２と中間エンドレスチェーン３との間、及び対向する中間エンドレスチェーン３と右エンドレスチェーン４との間で、互いに向き合い対向する複数個の係止ラック１１、１１のうち、対向する各一対ずつの係止ラック１１、１１が、正対して同一高さを保持して回転するように、係止ラック１１の取り付け間隔毎に間欠的に同期して駆動回転するようになっている。
【００２０】
前記左チェーン２、中間チェーン３、右チェーン４の同期的な駆動回転は、左上部スプロケット５と中間上部スプロケット７と右上部スプロケット９の駆動回転を、それぞれの回転支軸５ａ、７ａ、９ａを、単独に、パルスモータ、サーボモータ、ステッピングモータなどにより同期させて駆動回転させることにより実施するか、又は、それぞれの回転支軸５ａ、７ａ、９ａを、ギアやチェーンにより連結して連動回転させて駆動回転させることにより実施することができる。
【００２１】
本発明の循環式電子機器収納ケースは、図１の正面図、図２の側面図に示すように、移動用ラック手段Ｂの前記正対する各々一対の係止ラック１１、１１上には、各々電子機器類Ｕが１個ずつ、あるいは２個以上複数個ずつ、その両端部を係止されて載置されて該収納ケース内に収納されている。前記電子機器類Ｕは、左チェーン２と中間チェーン３との回転送行により上方に上昇移動し、前記中間チェーン３と右チェーン４との回転送行により下方に下降移動する。
【００２２】
本発明の循環式電子機器収納ケースは、図２の側面図に示すように、修理、取り替え等の作業を必要とする電子機器Ｕを、収納ケース内の係止ラック１１上より収納ケース外側に取り出すための排出手段Ｄを備えている。なお、電子機器Ｕを係止ラック１１上に収納する場合には手動にて行うことができる。
【００２３】
電子機器排出手段Ｄには、ケース枠体Ａの前部枠体１ｄ（前板部を兼ねる）の中間部に電子機器類Ｕをケース外側に排出するための排出口部１ｆと排出台部２１が設けられている。また、前記背部枠体１ｅ（背板部を兼ねる）の排出口部１ｆと対向する中間部には、電子機器類Ｕを排出口部１ｆからケース外側に排出するためのエアーシリンダなどにより動作するプッシャ２２（押出手段）が設置されている。
【００２４】
本発明の循環式電子機器収納ケースの前記移動用ラック手段Ｂは、図１に示すように、枠体Ａにおける左側の枠体Ａ1 の前記左チェーン２と中間チェーン３との間欠回転送行により上昇移動・停止する正対する各一対の係止ラック１１、１１のうち、最下部の一対の係止ラック１１、１１上には、電子機器類Ｕが載置されておらず空間状態となっている。また、枠体Ａにおける右側の枠体Ａ2 の前記中間チェーン３と右チェーン４との間欠回転送行により下降移動・停止する正対する各一対の係止ラック１１、１１のうち、最上部の
一対の係止ラック１１、１１上には、少なくとも常に電子機器類Ｕが載置されておらず、空間状態となっている。
【００２５】
また、図１、図２に示すように、前記左チェーン２と中間チェーン３との回転送行により上昇移動して停止した最上部の正対する一対の係止ラック１１、１１と、前記中間チェーン３と右チェーン４との回転送行により下降移動して停止した最上部の正対する一対の係止ラック１１、１１の高さ（又はそれより僅かに低位）に相当する高さにて、該最上部の各々一対の係止ラック１１、１１の間に、導入口１ｈ、１ｉよりラック移動方向と直交する方向に、アクチュエータ（エアーシリンダなど）により進出・退避動作して、最下部の電子機器類Ｕの両端部を下側から保持して係止ラック１１、１１から受け取るための対向する一対の水平ガイド板２５、２６が配置されている。
【００２６】
また、図１、図２に示すように、左側の枠体Ａ1 の前記左チェーン２と中間チェーン３との回転送行により上昇移動して停止した最下部の正対する一対の係止ラック１１、１１の間と、右側の枠体Ａ2 の前記中間チェーン３と右チェーン４との回転送行により下降移動して停止した最下部の正対する一対の係止ラック１１、１１の間とに、その係止ラック１１、１１の高さ（又はそれより僅かに低位）に相当する高さにて、導入口１ｊ、１ｋよりラック移動方向と直交する方向に、アクチュエータ（エアーシリンダなど）により進出・退避動作する対向する一対の水平ガイド板２７、２８が配置されている。
【００２７】
左右両側の枠体Ａ1 、Ａ2 にそれぞれ配置された前記各々一対の水平ガイド板２７、２８は、最上部の電子機器類Ｕの両端部と、最下部の電子機器類Ｕの両端部とを下側から保持するものである。
【００２８】
図１に示すように、左側の枠体Ａ1 の最上部の一対の正対する係止ラック１１、１１に保持されている最上部の電子機器類Ｕは、前記枠体Ａ1 とＡ2 にある進出動作したそれぞれ水平ガイド板２５、２６により保持され、左側の枠体Ａ1 の導入部１ｍより進退動作する電子機器類Ｕを押送するためのエアーシリンダなどにより動作するプッシャ２９（押出手段）により押送されて、右側の枠体Ａ2 の最上部の一対の正対する係止ラック１１、１１に誘導されて、該電子機器類Ｕは点線に示すように、該係止ラック１１、１１上に収納される。なお、本発明において左側の枠体Ａ1 の最上部の係止ラック１１、１１上にある電子機器類Ｕを、右側の枠体Ａ2 の最上部の係止ラック１１、１１上に押送誘導する際には、上記のようにプッシャ２９にて自動的に行うものであるが、必要に応じてプッシャ２９を省略して手動的に行うようにしてもよい。
【００２９】
一方、図１に示すように、右側の枠体Ａ2 の最下部の一対の正対する係止ラック１１、１１に保持されている最下部の電子機器類Ｕは、前記枠体Ａ1 とＡ2 にある進出動作したそれぞれ水平ガイド板２７、２８により保持され、左側の枠体Ａ1 の導入部１ｎより進退動作する電子機器類Ｕを押送するためのエアーシリンダなどにより動作するプッシャ３０（押出手段）により押送されて、左側の枠体Ａ1 の最下部の一対の正対する係止ラック１１、１１に誘導されて、該電子機器類Ｕは点線に示すように、該係止ラック１１、１１上に収納される。
【００３０】
本発明の循環式電子機器収納ケースの枠体Ａには、移動用ラック手段Ｂと同期して回転送行する循環回転式の集線電源手段Ｃが設置されて、枠体Ａ内の各々係止ラック１１、１１上に載置されて循環回転する各々電子機器類Ｕに電源を供給する。なお、集線電源手段Ｃの構造は本発明においては特に限定されるものではない。
【００３１】
前記集線電源手段Ｃは、例えば、図１、図２に示すように、背部枠体１ｅ（背板部を兼ねる）の四角隅部に軸支されて駆動回転するスプロケット（又はタイミングプーリー）な
どの回転体１３、１４、１５、１６を備え、各々回転体にエンドレスチェーン（又はタイミングベルト）１２が巻回されて循環回転体を構成している。該循環回転体には、等間隔に複数個の電源用の差込コンセント（例えば１００Ｖ用）、ＬＡＮケーブル用ターミナル、アース線ターミナル等が取り付けられていて、移動用ラック手段Ｂによって循環回転する各々電子機器類Ｕと同一方向に循環回転することにより、各々電子機器類Ｕの電源コードが絡まないようになっている。
【００３２】
このように本発明の循環式電子機器収納ケースは、図１、図２に示すように、ケース枠体Ａと、該枠体Ａ内に装備された垂直方向に昇降回転循環移動する複数対の係止ラック１１、１１からなる移動用ラック手段Ｂとから構成されている。
【００３３】
前記移動用ラック手段Ｂは、対向する各一対ずつの係止ラック１１、１１が、正対して同一高さを保持して回転するように、係止ラック１１の取り付け間隔毎に間欠的に同期して駆動回転送行するようになっている。
【００３４】
前記移動用ラック手段Ｂの各係止ラック１１、１１、１１、・・・の収納ケース内での位置検出は、各係止ラック１１、１１、１１、・・・にラックコード番号を付与し、エンドレスチェーン２、３、４を巻回してチェーンスプロケットを駆動回転させるための駆動軸２ａ、３ａ、４ａに、その駆動軸の回転数、回転位相位置を検出するためのロータリーエンコーダが設置され、該ロータリーエンコーダのデータを処理制御する電子制御部（ＣＰＵ、メモリ等）が設置されている。そして、各係止ラック１１、１１、１１、・・・の間欠送行における停止位置、特に電子機器Ｕの取り出しを行うための電子機器排出手段Ｄの取出部に相当する停止位置を、付与したラックコード番号に対応するコード信号により設定して、常にその設定されたコード信号に基づいて、その停止位置を検出できるようになっている。
【００３５】
図２の側面図に示すように、対向する各一対ずつの係止ラック１１、１１上に載置されて収納されている電子機器類Ｕのうち、ケース枠体Ａの前部枠体１ｄ（前板部を兼ねる）の中間部に設けられた電子機器類Ｕをケース外側に排出するための排出口部１ｆと排出台部２１の高さ位置に到達した電子機器類Ｕは、エアーシリンダなどにより進退動作するプッシャ２２（押出手段）により、排出口部１ｆからケース外側の排出台部２１上に排出すされて、該電子機器類Ｕは、収納ケース（枠体Ａ）の外側にて修理、機器の取り替え等の作業がなされ、電子機器排出手段Ｄにより自動的に収納ケース外側の排出台部２１上に排出されて取り出された電子機器類Ｕは、修理、機器の取り替え等の作業に供される。なお本発明においては、上記電子機器排出手段Ｄのプッシャー２２の設置を省略して、手動的に電子機器類Ｕを収納ケース外側の排出台部２１上に排出するようにしてもよい。
【図面の簡単な説明】
【００３６】
【図１】本発明の循環式電子機器収納ケースの正面図。
【図２】本発明の循環式電子機器収納ケースの側面図。
【符号の説明】
【００３７】
Ａ…ケース枠体
Ａ1 …左側枠体
Ａ2 …右側枠体
Ｂ…移動用ラック手段
Ｃ…回転式集線電源手段
１ａ…両側部枠体
１ｂ…底部枠体（底板部）
１ｃ…上部枠体（上板部）
１ｄ…前部枠体（前板部）
１ｅ…背部枠体（背板部）
２…左エンドレスチェーン
３…中間エンドレスチェーン
４…右エンドレスチェーン
５、７、９…上部スプロケット
６、８、１０…下部スプロケット
１１…係止ラック
２１…排出台部
２２…プッシャ
２５、２６…水平ガイド板
２７、２８…水平ガイド板
２９、３０…プッシャ
【図１】
2008056419.tif 000003
【図２】
2008056419.tif 000004